(57)【要約】【課題】パネル面内の色ムラをなくし、均一なカラー表示が可能な表示装置を提供することを目的とする。【解決手段】少なくとも赤色と緑色と青色の複数の原色で発光するセルを表示パネル面内に交互に配置して、カラー画像を表示する表示方法において、表示パネル面内をＭ×Ｎの複数のブロックに区分し、各々のブロックの色度から平均色度を算出し、この平均の色度から各ブロックの色度差を求め、この色度差を減少させるように補正する補正係数をブロックごとに設け、この補正係数を各原色のセルを発光させるための信号に乗じて発光するように構成した。【選択図】図３
2005315938.tif 000002
【特許請求の範囲】
【請求項１】
少なくとも赤色と緑色と青色の複数の原色で発光するセルを表示パネル面内に交互に配置して、カラー画像を表示する表示方法において、表示パネル面内をＭ×Ｎの複数のブロックに区分し、各々のブロックの色度から平均色度を算出し、この平均の色度から各ブロックの色度差を求め、この色度差を減少させるように補正する補正係数をブロックごとに設け、この補正係数を各原色のセルを発光させるための信号に乗じて発光するように構成したことを特徴とする表示方法。
【請求項２】
複数の原色のうち、１つの原色の発光強度のみを所定の割合で低下させたときの各色の色度変化ベクトルより、各々の原色の発光強度の補正係数を求めるように構成した請求項１記載の表示方法。
【請求項３】
複数の原色のうち、１つの原色の発光波長スペクトルのみを所定の割合で低下させて色度計算した色度変化ベクトルより、各々の原色の発光強度の補正係数を求めるように構成した請求項１記載の表示方法。
【請求項４】
各ブロックの平均色度からの差を色度変化ベクトルの延長線で区分したｘｙ色度平面の３領域のいずれかに分類することにより、補正係数を求めるように構成した請求項１記載の表示方法。
【発明の詳細な説明】
【技術分野】
【０００１】
本発明はテレビジョン受像機および情報表示端末等の表示方法に関するものである。
【背景技術】
【０００２】
従来、プラズマディスプレイ、液晶ディスプレイ、有機ＥＬディスプレイなどのドットマトリクス型の画像表示装置は、２つ以上の原色を交互に均等に配置し、映像信号に応じて原色の強度を調整しカラー画像を表示している。
【０００３】
代表的な例として、図７にＡＣ型のプラズマディスプレイのパネル構造を示す。図７において、前面基板１上には誘電体層２で覆われた走査電極３と維持電極４とが対を成して互いに平行に付設されている。これら走査電極３と維持電極４は、それぞれ透明電極３ａ，４ａと金属性材料からなる電極３ｂ，４ｂによって構成されている。また、誘電体層２上には易放電性絶縁膜である保護膜５が形成されている。
【０００４】
背面基板６上には絶縁体層７で覆われたデータ電極８が付設され、データ電極８間の絶縁体層７上にデータ電極８と平行して隔壁９が設けられている。また、絶縁体層７の表面から隔壁９の側面にかけて、Ｒ，Ｇ，Ｂ３種類の蛍光体を順次塗り分けた蛍光体層１０Ｒ，１０Ｇ，１０Ｂが設けられている。
【０００５】
前面基板１と背面基板６とは、走査電極３および維持電極４とデータ電極８とが交差するように放電空間１１を挟んで対向して配置されている。放電空間１１には、放電ガスとして、ヘリウム、ネオン、アルゴンの内の少なくとも１種とキセノンとが封入されている。また、隣接する２つの隔壁９に挟まれ、対を成す走査電極３および維持電極４とデータ電極８との交差部には１つの放電セル１２が構成されている。すなわち、前面基板１と背面基板６との間に、複数の放電セルがマトリクス状に並んで形成されている。
【０００６】
次に、図８を用いてパネルの駆動方法について説明する。
【０００７】
まず初期化期間ａにおいて、全ての対を成す走査電極３と維持電極４との間で初期化放電を発生させて走査電極３とデータ電極８間に書き込み動作に必要な壁電圧を蓄積する。続く書き込み期間ｂにおいては、１つの走査電極３に走査パルス電圧を印加するとともに、Ｒ，Ｇ，Ｂ３色の表示データの書き込みを行う３色の放電セルに対応したデータ電極８に書き込みパルス電圧を印加して、放電セルで書き込み放電を発生させて書き込み動作を行う。この書き込み動作を全ての走査電極３に対して順次行う。
【０００８】
続く維持期間ｃにおいて、全ての走査電極３と維持電極４とに交互に維持放電パルス電圧を印加して、書き込み放電を行った放電セルで放電を発生させ、蛍光体層１０Ｒ，１０Ｇ，１０Ｂを発光させることにより、上記３色の蛍光体の色度点とそれらの加色混合で決まる色空間範囲内のカラー表示を行っている。
【０００９】
なお、この出願に関する先行技術文献情報としては、例えば、特許文献１が知られている。
【特許文献１】特開２００２−２３６９１号公報
【発明の開示】
【発明が解決しようとする課題】
【００１０】
このような構成のプラズマディスプレイのパネルにおいては、全画面白色表示したときに全面にわたって色度値が均一で色ムラのないものが望ましいが、製造方法によっては、どうしても不均一になりやすい場合がある。例えば、蛍光体の乾燥工程など、乾燥炉の温度分布が均一であっても、気流に変化があると、基板の左右や前後に乾燥ムラが現れ、これが蛍光体層の厚さの違いになって現れ、色ムラの原因となる場合がある。ランダムな不均一性は互いに相殺されてあまり目立たないが、特定の方向に偏りがあると目立ちやすく、画質劣化の原因になる。
【００１１】
本発明はこのような課題を解決するためになされたものであり、仮にパネルに色ムラがあっても、これをキャンセルするように各色の発光強度を調整し、より均一で色ムラの少ない高画質な表示装置を提供することを目的とする。
【課題を解決するための手段】
【００１２】
本発明の表示方法は、少なくとも赤色と緑色と青色の複数の原色で発光するセルを表示パネル面内に交互に配置して、カラー画像を表示する表示方法において、表示パネル面内をＭ×Ｎの複数のブロックに区分し、各々のブロックの色度から平均色度を算出し、この平均の色度から各ブロックの色度差を求め、この色度差を減少させるように補正する補正係数をブロックごとに設け、この補正係数を各原色のセルを発光させるための信号に乗じて発光するように構成したことを特徴とする。
【００１３】
また、本発明は、複数の原色のうち、１つの原色の発光強度のみを所定の割合で低下させたときの各色の色度変化ベクトルより、各々の原色の発光強度の補正係数を求めるように構成したものである。さらに、複数の原色のうち、１つの原色の発光波長スペクトルのみを所定の割合で低下させて色度計算した色度変化ベクトルより、各々の原色の発光強度の補正係数を求めるように構成したものである。
【００１４】
さらに、各ブロックの平均色度からの差を色度変化ベクトルの延長線で区分したｘｙ色度平面の３領域のいずれかに分類することにより、補正係数を求めるように構成したものである。
【発明の効果】
【００１５】
本発明の表示方法は、あらかじめパネルが持っている色ムラをキャンセルするように、ブロックごとにＲＧＢの強度を補正することにより、全画面にわたって色ムラのない均一なカラー表示が可能な表示装置を提供することができる。
【発明を実施するための最良の形態】
【００１６】
以下、本発明の一実施の形態による表示方法について、プラズマディスプレイを例として図１〜図６を用いて説明する。
【００１７】
まず、本発明においては、少なくとも赤色と緑色と青色の複数の原色で発光するセルを表示パネル面内に交互に配置して、各原色の発光強度をコントロールして白色またはカラー画像を表示する表示方法において、表示パネル面内をＭ×Ｎの複数のブロックに区分し、各々のブロックの色度から平均色度を算出し、この平均の色度から各ブロックの色度差を求め、この色度差を減少させるように、すなわち０．０１以下になるように補正する補正係数をブロックごとに設け、この補正係数を各原色のセルを発光させるための入力信号に乗じて表示するように制御するものである。
【００１８】
図１はＭ×Ｎのブロックに区分した表示パネルを示している。このパネルの構造は、図７で示した構造であり、図１に示すようにＭ×Ｎのブロックに区分した表示パネルの各ブロックについて、色度測定装置により色度を測定し、これらの色度データからパネル全体の平均色度と各ブロックの平均からの色度差を求める。
【００１９】
図２はＣＩＥＸＹＺ表色系を用いてＲ，Ｇ，Ｂの発光強度比と色度変位ベクトルの関係を説明するための図であり、図２において、原点（０，０）はＲ，Ｇ，Ｂの強度を各々同じ強度で表示したときの白色色度座標である。この原点より赤色、緑色、青色の強度をそれぞれ独立に一定割合減少させたときの色度値の変化をベクトル表示している。図中の目盛はＲＧＢの強度変化率を表し、２１は赤色補正ベクトル、２２は緑色補正ベクトル、２３は青色補正ベクトルである。
【００２０】
例えば０．２とは、２０％強度を減じて表示したことを表す。同じ強度変化率でも青色＞緑色＞赤色の順に色度変化が大きい。図のように比較的強度変化の少ない範囲では色度は直線的に変化すると考えてよい。
【００２１】
図３はｘｙ色度平面を３つの領域で区分した状態を表す。赤色軸の延長線を直線Ｆ（赤色）３１、緑色軸の延長線を直線Ｆ（緑色）３２、青色軸の延長線を直線Ｆ（青色）３３とし、直線Ｆ（赤色）３１と直線Ｆ（緑色）３２で挟まれる領域をＡ領域、直線Ｆ（緑色）３２と直線Ｆ（青色）３３で挟まれる領域をＢ領域、直線Ｆ（青色）３３と直線Ｆ（赤色）３１で挟まれる領域をＣ領域とする。このように３つの領域に分けるのは、各領域において補正方法が異なるからである。
【００２２】
まず、Ａ領域での補正方法について図４を用いて説明する。平均色度からの色差をｘ，ｙとし、その色度点の座標をＰ（ｘ，ｙ）とする。このＰ点を通り直線Ｆ（赤色）４１と平行な直線の方程式を求め、その直線が直線Ｆ（緑色）４２と交わる点Ｑ（ｘ１，ｙ１）を求める。ここで点Ｐ（ｘ，ｙ）から点Ｑ（ｘ１，ｙ１）までの距離は赤色の赤色補正量４３であり、点Ｑ（ｘ１，ｙ１）から原点（０，０）までの距離は緑色の緑色補正量４４である。
【００２３】
ここで求めた赤色補正量４３と緑色補正量４４はそれぞれ対応する色の補正係数に換算する。換算方法は、例えば赤色の強度を１０％減少させたときのシフト量をＳｒ１０とすると、補正係数Ｋｒは次の式で計算する。
Ｋｒ＝赤色補正量／Ｓｒ１０×０．１
同様に、緑色の強度を１０％減少させたときのシフト量をＳｇ１０とすると、補正係数Ｋｇは次式で換算する。
Ｋｇ＝緑色補正量／Ｓｇ１０×０．１
このように、平均色度からずれていても、上記のように赤色と緑色の２つの原色の強度を減少方向に調整することにより、色度点を平均色度位置まで移動させることができ、色ムラをなくすことができる。
【００２４】
次に、Ｂ領域の補正方法について、図５を用いて説明する。図５において、平均色度からの色差をｘ，ｙとし、その色度点の座標をＰ（ｘ，ｙ）とする。このＰ点を通り直線Ｆ（緑色）５１と平行な直線の方程式を求め、その直線が直線Ｆ（青色）５２と交わる点Ｑ（ｘ１，ｙ１）を求める。ここで、点Ｐ（ｘ，ｙ）から点Ｑ（ｘ１，ｙ１）までの距離は緑色の緑色補正量５３であり、点Ｑ（ｘ１，ｙ１）から原点（０，０）までの距離は青色の青色補正量５４である。
【００２５】
ここで求めた緑色補正量５３と青色補正量５４はそれぞれ対応する色の補正係数に換算する。換算方法は、例えば緑色の強度を１０％減少させたときのシフト量をＳｇ１０とすると、補正係数Ｋｇは次の式で計算する。
Ｋｇ＝緑色補正量／Ｓｇ１０×０．１
同様に、青色の強度を１０％減少させたときのシフト量をＳｂ１０とすると、補正係数Ｋｂは次式で換算する。
Ｋｂ＝青色補正量／Ｓｂ１０×０．１
このように、平均色度からずれていても、上記のように緑色と青色の２つの原色の強度を減少方向に調整することにより、色度点を平均色度位置まで移動させることができ、色ムラをなくすことができる。
【００２６】
次に、Ｃ領域の補正方法について図６を用いて説明する。図６において、平均色度からの色差をｘ，ｙとし、その色度点の座標をＰ（ｘ，ｙ）とする。このＰ点を通り直線Ｆ（青色）６１と平行な直線の方程式を求め、その直線が直線Ｆ（赤色）６２と交わる点Ｑ（ｘ１，ｙ１）を求める。ここで点Ｐ（ｘ，ｙ）から点Ｑ（ｘ１，ｙ１）までの距離は青色の青色補正量６３であり、点Ｑ（ｘ１，ｙ１）から原点（０，０）までの距離は赤色の赤色補正量６４である。
【００２７】
ここで求めた青色補正量６３と赤色補正量６４はそれぞれ対応する色の補正係数に換算する。換算方法は、例えば青色の強度を１０％減少させたときのシフト量をＳｂ１０とすると、補正係数Ｋｂは次の式で計算する。
Ｋｂ＝青色補正量／Ｓｂ１０×０．１
同様に赤色の強度を１０％減少させたときのシフト量をＳｒ１０とすると、補正係数Ｋｒは次式で換算する。
Ｋｒ＝赤色補正量／Ｓｒ１０×０．１
このように、平均色度からずれていても、上記のように青色と赤色の２つの原色の強度を減少方向に調整することにより、色度点を平均色度位置まで移動させることができ、色ムラをなくすことができる。
【００２８】
具体的な画面分割ブロック数は２０×３０である。このような方法によりパネル全体の全てのブロックについて補正係数を計算し、補正係数の表を作成し、ＲＯＭなどの記録媒体に記録し、ＲＧＢの画像信号に対して、これらの補正係数を乗じて出力することにより色ムラのない均一な画像を表示することができる。
【００２９】
次に、本発明の他の実施の形態について説明する。
【００３０】
上記実施の形態では、３つの原色のうち１の原色のみの発光強度を一定値に減少させて色度測定し、色度変化ベクトルを求めたが、本実施の形態においては、単色の発光スペクトルより計算で色度変化ベクトルを求める。発光波長スペクトルからｘｙ色度の計算方法は、例えば、「色彩光学の基礎」池田光男著、朝倉書院に詳しく記載されており、ＲＧＢをある割合で混合したときのｘｙ色度は単色の発光波長スペクトルが得られれば計算することができる。なお、一般に表示装置は、所定の色温度になるようにホワイトバランス調整を行うが、以後説明を簡単にするために、ホワイトバランス調整後のＲ，Ｇ，Ｂの発光強度をそれぞれ１００％と呼ぶことにする。
【００３１】
Ｒ，Ｇ，Ｂそれぞれ１００％で表示したときの単色の発光スペクトルを波長３８０ｎｍから７８０ｎｍ、分解能１ｎｍで測定し、これらの単色の発光スペクトルに適当な係数を乗じてスペクトルを合成し、色度を計算する。Ｒ，Ｇ，Ｂの混合率は赤：Ｋｒ、緑：Ｋｇ、青：Ｋｂとし、次の式で計算する。
Ｃ＝Ｋｒ×Ｒ１００＋Ｋｇ×Ｇ１００＋Ｋｂ×Ｂ１００
はじめに、Ｋｒ＝１、Ｋｇ＝１、Ｋｂ＝１の混合比でスペクトル合成したときのｘｙ色度をＸ０，Ｙ０とし、例えば、赤の色度変化ベクトルは、Ｋｒ＝０．９、Ｋｇ＝１、Ｋｂ＝１の混合比でスペクトル合成しｘｙ色度を計算して、この値をＸ０，Ｙ０から差し引いて求めることができる。同様に、緑の色度変化ベクトルは、Ｋｒ＝１、Ｋｇ＝０．９、Ｋｂ＝１、青の色度変化ベクトルは、Ｋｒ＝１、Ｋｇ＝１、Ｋｂ＝０．９にして計算で求めることができる。
【００３２】
このように計算した結果、ＲＧＢそれぞれの色度変化ベクトルの角度は、赤は１９２．２度、緑は２６８．９度、青は５７．８度となった。後は上記実施の形態と同様な手法で各ブロックの色ムラ補正係数を計算し、補正係数の表を作成し、半導体メモリなどの記録媒体に記録し、ＲＧＢの画像信号に対して、これらの補正係数を乗じて出力することにより色ムラのない均一な画像を表示することができる。
【００３３】
なお、本発明はプラズマディスプレイ以外の表示装置、例えば有機ＥＬや無機ＥＬや液晶などによる表示装置にも適応できる。
【産業上の利用可能性】
【００３４】
本発明は、あらかじめパネルが持っている色ムラをキャンセルするように、ブロックごとにＲＧＢの強度を補正することにより、全画面にわたって色ムラのない均一なカラー表示が可能な表示装置を提供することができる。
【図面の簡単な説明】
【００３５】
【図１】本発明の一実施の形態によるプラズマディスプレイの表示画面の分割例を示す概念図
【図２】ＲＧＢ色度補正ベクトルを表すｘｙ色度図
【図３】補正領域を表すｘｙ色度図
【図４】Ａ領域での補正アルゴリズムを説明するｘｙ色度図
【図５】Ｂ領域での補正アルゴリズムを説明するｘｙ色度図
【図６】Ｃ領域での補正アルゴリズムを説明するｘｙ色度図
【図７】プラズマディスプレイの構造を示す分解斜視図
【図８】プラズマディスプレイの駆動波形図
【符号の説明】
【００３６】
１２  放電セル
２１  赤色補正ベクトル
２２  緑色補正ベクトル
２３  青色補正ベクトル
４３，６４  赤色補正量
４４，５３  緑色補正量
５４，６３  青色補正量
【図１】
2005315938.tif 000003
【図２】
2005315938.tif 000004
【図３】
2005315938.tif 000005
【図４】
2005315938.tif 000006
【図５】
2005315938.tif 000007
【図６】
2005315938.tif 000008
【図７】
2005315938.tif 000009
【図８】
2005315938.tif 000010